(57)【要約】【課題】小型化した上で、レンズ外部からの漏れ光がＣＣＤに入射することを防止することができるズームレンズ鏡筒及びそれを用いたデジタルカメラとする。【解決手段】デジタルカメラ１のズームレンズ鏡筒１０において、略同心円形状の複数の筒部１１，１２，１３と、筒部の少なくとも１つを光軸方向に移動させるためのフォーカスモータ１４と、筒部の略円周方向に折り畳まれ、フォーカスモータの駆動を制御するフォーカスモータＦＰＣ２２と、撮影した像を入射させるＣＣＤ１７と、筒部とＣＣＤとの間に介在し、一部にフォーカスモータＦＰＣを挿通させる部位を有する遮光部材２０，２１とを備える。【選択図】図２
2006091311.tif 000002
【特許請求の範囲】
【請求項１】
略同心円形状の複数の筒部と、
前記筒部の少なくとも１つを光軸方向に移動させるためのフォーカスモータと、
前記筒部の略円周方向に折り畳まれ、前記フォーカスモータの駆動を制御するフォーカスモータＦＰＣと、
撮影した像を入射させるＣＣＤと、
前記筒部とＣＣＤとの間に介在し、一部に前記フォーカスモータＦＰＣを挿通させる部位を有する遮光部材と、
を備えることを特徴とするズームレンズ鏡筒。
【請求項２】
前記遮光部材は、光軸方向に一部が重なるように配置された第１遮光部材及び第２遮光部材で構成され、
前記第１遮光部材と第２遮光部材との重なり部分に、前記フォーカスモータＦＰＣを挿通させることを特徴とする請求項１に記載のズームレンズ鏡筒。
【請求項３】
前記遮光部材は、フォーカスモータＦＰＣよりも剛性の高い材料で構成されていることを特徴とする請求項１又は２に記載のズームレンズ鏡筒。
【請求項４】
請求項１に記載のズームレンズ鏡筒を備えることを特徴とするデジタルカメラ。
【発明の詳細な説明】
【技術分野】
【０００１】
本発明は、ズームレンズ鏡筒及びそれを用いたデジタルカメラに関する。
【背景技術】
【０００２】
従来、デジタルカメラにおいて、複数のレンズを備え、モータによって光軸方向にレンズを移動させることにより撮影倍率を変化させるためのズームレンズ鏡筒を備えているものがある（例えば、特許文献１参照）。
【０００３】
ところで、デジタルカメラの分野では小型化が進められている。例えば、特許文献１のデジタルカメラを小型化するために、レンズの根元部分に配置されていたモータを、図５に示すようにズームレンズ鏡筒内に配置するように構成したものが挙げられる。ここで、図５に示すズームレンズ鏡筒１００は、直進筒１０１、回転筒１０２、固定筒１０３、フォーカスモータ１０４、１群レンズ枠１０５、２群レンズ枠１０６、ＣＣＤ（電荷結合素子）１０７、ＬＰＦ１０８、ＣＣＤ枠１０９、フォーカスモータＦＰＣ（フレキシブル基板）１１０で構成された２段沈胴のズームレンズ鏡筒である。
【特許文献１】特開２０００−２２１３８２号公報
【発明の開示】
【発明が解決しようとする課題】
【０００４】
しかしながら、特許文献１のようなズームレンズ鏡筒では、フォーカスモータを制御するフォーカスモータＦＰＣがズームレンズ鏡筒における光軸に対する放射方向に折り畳まれるように配置されているため、このフォーカスモータＦＰＣの配置によりズームレンズ鏡筒が嵩張ってしまっていた。
【０００５】
そこで、ズームレンズ鏡筒を小型化するために、フォーカスモータＦＰＣの折り畳み方向を、図５のような光軸に対する放射方向から、鏡筒の円周方向に変えることが考えられた。これにより、ズームレンズ鏡筒を小型化することはできたが、フォーカスモータＦＰＣの折り畳み方向を鏡筒の円周方向にすることで、フォーカスモータＦＰＣがＣＣＤの近くを通ることとなり、フォーカスモータＦＰＣの動きによっては、鏡筒の移動時等にレンズ外部からの漏れ光がＣＣＤに入射してしまうという問題が生じた。
【０００６】
そこで、本発明の課題は、小型化した上で、レンズ外部からの漏れ光がＣＣＤに入射することを防止することができるズームレンズ鏡筒及びそれを用いたデジタルカメラを提供することを目的とする。
【課題を解決するための手段】
【０００７】
請求項１に記載の発明は、ズームレンズ鏡筒において、
略同心円形状の複数の筒部と、
前記筒部の少なくとも１つを光軸方向に移動させるためのフォーカスモータと、
前記筒部の略円周方向に折り畳まれ、前記フォーカスモータの駆動を制御するフォーカスモータＦＰＣと、
撮影した像を入射させるＣＣＤと、
前記筒部とＣＣＤとの間に介在し、一部に前記フォーカスモータＦＰＣを挿通させる部位を有する遮光部材と、
を備えることを特徴としている。
【０００８】
このように請求項１に記載の発明によれば、ズームレンズ鏡筒において、略同心円形状の複数の筒部と、筒部の少なくとも１つを光軸方向に移動させるためのフォーカスモータと、筒部の略円周方向に折り畳まれ、フォーカスモータの駆動を制御するフォーカスモータＦＰＣと、撮影した像を入射させるＣＣＤと、筒部とＣＣＤとの間に介在し、一部にフォーカスモータＦＰＣを挿通させる部位を有する遮光部材とを備えるため、フォーカスモータＦＰＣが光軸に対する放射方向に突出することがなく、当該放射方向に対するズームレンズ鏡筒の大きさを小型化することができる。また、遮光部材を備えているため、ＣＣＤにレンズ外部からの漏れ光が入射してしまうことを防止することができる。
【０００９】
請求項２に記載の発明は、請求項１に記載のズームレンズ鏡筒において、
前記遮光部材は、光軸方向に一部が重なるように配置された第１遮光部材及び第２遮光部材で構成され、
前記第１遮光部材と第２遮光部材との重なり部分に、前記フォーカスモータＦＰＣを挿通させることを特徴としている。
【００１０】
このように請求項２に記載の発明によれば、遮光部材が、光軸方向に一部が重なるように配置された第１遮光部材及び第２遮光部材で構成され、第１遮光部材と第２遮光部材との重なり部分に、フォーカスモータＦＰＣを挿通させるため、フォーカスモータの移動に応じてフォーカスモータＦＰＣが移動する際、たとえ一方の遮光部材がめくれてしまうようなことがあっても、もう一方の遮光部材があるため、レンズ外部からの漏れ光がＣＣＤ側に入ることがなく、確実にＣＣＤにレンズ外部からの漏れ光が入射してしまうことを防止することができる。
【００１１】
請求項３に記載の発明は、請求項１又は２に記載のズームレンズ鏡筒において、
前記遮光部材は、フォーカスモータＦＰＣよりも剛性の高い材料で構成されていることを特徴としている。
【００１２】
このように請求項３に記載の発明によれば、遮光部材が、フォーカスモータＦＰＣよりも剛性の高い材料で構成されているため、フォーカスモータの移動に応じてフォーカスモータＦＰＣが移動する際、遮光部材がめくれ難くすることができ、より確実にＣＣＤにレンズ外部からの漏れ光が入射してしまうことを防止することができる。
【００１３】
請求項４に記載の発明は、デジタルカメラにおいて、
請求項１に記載のズームレンズ鏡筒を備えることを特徴としている。
【００１４】
このように請求項４に記載の発明によれば、デジタルカメラにおいて、請求項１に記載のズームレンズ鏡筒を備えるため、小型化され、かつＣＣＤにレンズ外部からの漏れ光が入射してしまうことを防止したズームレンズ鏡筒を備えたデジタルカメラとすることができる。
【発明の効果】
【００１５】
請求項１〜３に記載の発明によれば、光軸に対する放射方向におけるズームレンズ鏡筒の大きさを小型化することができるため、結果としてズームレンズ鏡筒を小型化することができる。また、ＣＣＤにレンズ外部からの漏れ光が入射してしまうことを防止することができるため、ＣＣＤに撮影した像以外の光が入射してしまうことを防止することができる。
【００１６】
請求項４に記載の発明によれば、小型化され、かつＣＣＤにレンズ外部からの漏れ光が入射してしまうことを防止したズームレンズ鏡筒を備えたデジタルカメラとすることができるため、取り扱いが楽にでき、かつきれいな像を記録することができるデジタルカメラとすることができる。
【発明を実施するための最良の形態】
【００１７】
以下、本発明の一実施形態に係るズームレンズ鏡筒及びデジタルカメラについて、図面を参照して説明する。ただし、以下は本発明の一実施形態であって本発明を限定するものではない。
【００１８】
図１は、本発明の一実施形態に係るデジタルカメラを示す概略図である。
また、図２は、本発明の一実施形態に係るズームレンズ鏡筒を示す概略断面図であり、図３は、ズームレンズ鏡筒の遮光部材の様子を示す図であり、図４は、ズームレンズ鏡筒の撮影時の様子を示す概略断面図である。
【００１９】
図１に示すように、デジタルカメラ１は、略矩形のボディ前面に、ズームレンズ鏡筒１０、セルフタイマランプ２、光学ファインダ窓３及びストロボ発光部４が配設され、上面には電源キー５及びシャッタキー６が配される。
【００２０】
電源キー６は、１回押圧操作する毎に電源をオン／オフするキーであり、シャッタキー７は、撮影モード時にレリーズを指示する一方で、メニュー選択などでは設定／実行を指示するキーとしても機能するものとする。
【００２１】
また、図示は省略するが、デジタルカメラ１の背面には、モードスイッチ、メニューキー、十字キー、光学ファインダ及び表示部等を配する。
モードスイッチは、例えばスライドスイッチにより構成され、撮影モードと再生モードとを切換える。
メニューキーは、各種メニュー選択時に操作する。
表示部は、バックライト付きのカラー液晶パネルで構成されるもので、撮影モード時には電子ファインダとしてモニタ表示を行なう一方で、再生モード時には選択した画像を再生表示する。
【００２２】
さらに、ボディ下面には蓋付きのメモリカードスロット（図示せず）が設けられており、このデジタルカメラ１の記録媒体であるメモリカードが着脱自在に装着されるようになっている。またさらに、外部機器と通信するためのケーブルを接続するためのコネクタのスロット（図示せず）も設けられている。
【００２３】
次に、本実施形態のズームレンズ鏡筒１０について、図２〜図４を参照して説明する。
本実施形態のズームレンズ鏡筒１０は、筒部としての直進筒１１，回転筒１２，固定筒１３、フォーカスモータ１４、１群レンズ枠１５、２群レンズ枠１６、ＣＣＤ１７、ＬＰＦ１８、ＣＣＤ枠１９、遮光部材としての第１遮光部材２０，第２遮光部材２１、フォーカスモータＦＰＣ２２を備えて構成されている２段沈胴のズームレンズ鏡筒である。また、図示しないズームモータ、駆動ギヤによりズーミング駆動を行い、同じく図示しないカム、カム溝によってレンズ位置が決定される構成となっている。なお、遮光部材は必ずしも２つの部材である必要はなく１つの遮光部材で遮光する場合もあるが、本実施形態のように２つの部材で構成されている方がより好ましい。
【００２４】
図３は、ズームレンズ鏡筒１０をＣＣＤ１７の側から見た概略図であり、２群レンズ枠１６の後ろから見た図である。２群レンズ枠１６には、ズームレンズ鏡筒１０が沈胴したときにフォーカスモータ１４と干渉しないように切欠き１６ａが設けられている。
【００２５】
また、本実施形態のデジタルカメラ１は、薄型でフロントフォーカスズーム機能を有するものであり、フォーカスモータＦＰＣ２２を折り畳んで収納する構造となっている。フォーカスモータＦＰＣ２２の長さもあるため、構造上、このスペースに図３に示す円周方向にしかフォーカスモータＦＰＣ２２を折り畳んで収納することができず、１枚の遮光部材で構成すると、めくれたり、隙間ができてしまう。そこで、本発明の第１遮光部材２０と第２遮光部材２１を光軸方向において重ね合わせるように配置することで、フォーカスモータＦＰＣ２２を２枚の遮光部材２０，２１で挟み込むような形でかつ摺動可能な状態で出線させることができる。
【００２６】
なお、ＣＣＤ枠１９の出線口よりレンズユニット後面に出線する構成となっている。図４に、ズームレンズ鏡筒１０が撮影時の状態となったとき（この図ではＷＩＤＥ時）の様子を示す。このように２枚の遮光部材２０，２１がフォーカスモータＦＰＣ２２を挟んでいるので、ズーミングでの伸縮においても隙間を空けないようになり、レンズ外部からＣＣＤ１７への光の入射を防止する。なお、ＴＥＬＥ時もＷＩＤＥ時と同様にＣＣＤ１７へのレンズ外部からの光の入射を防止するようになっている。
【００２７】
本実施形態のズームレンズ鏡筒１０における２枚の遮光部材２０，２１は、フォーカスモータＦＰＣ２２がズーミング時にフォーカスモータＦＰＣ２２が伸縮して摺動した際にめくれたりしないように、少なくともフォーカスモータＦＰＣ２２より剛性の高い材料からなっている。本実施形態では、ポリカーボネートからなっている。これにより、撮影時や鏡筒収納時等どのような状態のときであってもレンズ外部からの光がＣＣＤ１７に入射することを防止できる。
また、このズームレンズ鏡筒１０をデジタルカメラに組み込むことによって、レンズ外部からの漏れ光の影響を撮影画像に対して受けさせることのないデジタルカメラ１とすることができる。
【００２８】
次に、本実施形態のズームレンズ鏡筒１０の作用について説明する。
以下、図２に示すようなズームレンズ鏡筒１０の収納状態から図４に示すようなズームレンズ鏡筒１０の撮影状態にする際について説明する。
【００２９】
このときには、フォーカスモータＦＰＣ２２の制御によりフォーカスモータ１４が駆動して、回転筒１２を回転させると共に直進筒１１を図２及び図４における上方向に移動させる。このとき、直進筒１１と共に１群レンズ枠１５も上方向に移動する。また、直進筒１１の動きに合わせて２群レンズ枠１６も移動するようになっている。そして、１群レンズ枠１５と２群レンズ枠１６が撮影に適した位置まで移動したら、停止する。この一連の動きに対して、フォーカスモータ１４に固定されているフォーカスモータＦＰＣ２２の折り畳み部分が直線状態に近い状態になるように折り畳み部分が解除されていき、それに伴って第１遮光部材２０と第２遮光部材２１に挟まれた部位のフォーカスモータＦＰＣ２２が当該部分を摺動しながら上方向に移動する。しかし、２つの遮光部材２０，２１が光軸方向に重なっており、さらに剛性の高い部材からなっているため、遮光部材がめくれるようなことはなく、レンズ外部からの漏れ光がＣＣＤ１７の側に入射することを防止している。
【００３０】
なお、ズームレンズ鏡筒１０の撮影状態から収納状態への移動については、動きが逆になるのみであるので、説明を省略する。
【００３１】
以上のように、本実施形態におけるズームレンズ鏡筒によれば、略同心円形状の複数の筒部と、筒部の少なくとも１つを光軸方向に移動させるためのフォーカスモータと、筒部の略円周方向に折り畳まれ、フォーカスモータの駆動を制御するフォーカスモータＦＰＣと、撮影した像を入射させるＣＣＤと、筒部とＣＣＤとの間に介在し、一部にフォーカスモータＦＰＣを挿通させる部位を有する遮光部材とを備えるため、フォーカスモータＦＰＣが光軸に対する放射方向に突出することがなく、当該放射方向に対するズームレンズ鏡筒の大きさを小型化することができる。また、遮光部材を備えているため、ＣＣＤにレンズ外部からの漏れ光が入射してしまうことを防止することができる。
【００３２】
また、本実施形態におけるズームレンズ鏡筒によれば、遮光部材が、光軸方向に一部が重なるように配置された第１遮光部材及び第２遮光部材の２つの部材で構成され、第１遮光部材と第２遮光部材との重なり部分に、フォーカスモータＦＰＣを挟ませるようにして挿通させるため、フォーカスモータの移動に応じてフォーカスモータＦＰＣが移動する際、たとえ一方の遮光部材がめくれてしまうようなことがあっても、もう一方の遮光部材があるため、レンズ外部からの漏れ光がＣＣＤ側に入ることがなく、確実にＣＣＤにレンズ外部からの漏れ光が入射してしまうことを防止することができる。
【００３３】
さらに、本実施形態におけるズームレンズ鏡筒によれば、遮光部材が、フォーカスモータＦＰＣよりも剛性の高い材料で構成されているため、フォーカスモータの移動に応じてフォーカスモータＦＰＣが移動する際、遮光部材がめくれ難くすることができ、より確実にＣＣＤにレンズ外部からの漏れ光が入射してしまうことを防止することができる。
【００３４】
これらの結果、ズームレンズ鏡筒を小型化することができる。また、ＣＣＤに撮影した像以外の光が入射してしまうことを防止することができる。
【００３５】
またさらに、本実施形態におけるデジタルカメラによれば、本実施形態のズームレンズ鏡筒を備えるため、小型化され、かつＣＣＤにレンズ外部からの漏れ光が入射してしまうことを防止したズームレンズ鏡筒を備えたデジタルカメラとすることができる。
その結果、取り扱いが楽にでき、かつきれいな像を記録することができるデジタルカメラとすることができる。
【００３６】
なお、本発明に係るズームレンズ鏡筒及びデジタルカメラとしては、前記した実施形態に限るものではなく、他の構成のものにも適用可能である。
【図面の簡単な説明】
【００３７】
【図１】本発明の一実施形態に係るデジタルカメラを示す概略図である。
【図２】本発明の一実施形態に係るズームレンズ鏡筒を示す概略断面図である。
【図３】ズームレンズ鏡筒の遮光部材の様子を示す図である。
【図４】ズームレンズ鏡筒の撮影時の様子を示す概略断面図である。
【図５】従来のズームレンズ鏡筒を示す概略断面図である。
【符号の説明】
【００３８】
１      デジタルカメラ
３      光学ファインダ窓
４      ストロボ発光部
５      電源キー
６      シャッタキー
１０    ズームレンズ鏡筒
１１    直進筒（筒部）
１２    回転筒（筒部）
１３    固定筒（筒部）
１４    フォーカスモータ
１５    １群レンズ枠
１６    ２群レンズ枠
１７    ＣＣＤ
１８    ＬＰＦ
１９    ＣＣＤ枠
２０    第１遮光部材（遮光部材）
２１    第２遮光部材（遮光部材）
２２    フォーカスモータＦＰＣ
【図１】
2006091311.tif 000003
【図２】
2006091311.tif 000004
【図３】
2006091311.tif 000005
【図４】
2006091311.tif 000006
【図５】
2006091311.tif 000007